(57)【要約】【課題】従来の単にバーコードや番号による個体識別管理ではなく、研究や実験に必要な多くの詳細情報をその個体動物と分離しない形で追跡可能とし、研究過程で施した各種の処置に関する情報も個体動物と分離せずに追記することを可能とする。【解決手段】この実験動物用ＩＣタグは、不揮発性メモリおよびアンテナを内蔵し無線手段で情報の書込み・読出しがなされるタグ本体部を生体無影響素材で被覆し、かつ、実験動物の体内に埋め込まれるＩＣタグを有する。本発明に係る実験動物の情報管理システムは、実験動物に実装されたＩＣタグに実験動物の飼育業者側で実験動物に関する個体情報を無線手段を用いたリーダ・ライタにより書き込み、研究・利用者側ではその実験動物の個体情報を無線手段を用いたリーダ・ライタにより読み出し、実験動物の追跡、調査、実験等の研究資料とする。【選択図】  図６
2016131493.tif 000002
【特許請求の範囲】
【請求項１】
不揮発性メモリおよびアンテナを搭載し無線手段で情報の書込み・読出しがなされるタグ本体部を生体適合材で被覆し、かつ、実験動物の体内に埋め込まれるＩＣタグを有することを特徴とする実験動物用ＩＣタグ。
【請求項２】
前記タグ本体部は角部を湾曲状に面取りした矩形体または円盤形に形成されることを特徴とする請求項１に記載の実験動物用ＩＣタグ
【請求項３】
前記タグ本体部を被覆する生体適合材は液薬塗布および乾燥処理／または液薬塗布および硬化処理により被覆されるガラス材、樹脂材あるいは金属材であることを特徴とする請求項１または２に記載の実験動物用ＩＣタグ。
【請求項４】
不揮発性メモリおよびアンテナを搭載し無線手段で情報の書込み・読出しがなされるタグ本体部を生体適合材で被覆し、かつ、保持具により保持し、該保持具を介して実験動物の身体に取り付けられることを特徴とする実験動物用ＩＣタグ。
【請求項５】
ＩＣタグを実装した実験動物を拘束状態に載置する載置台と、前記載置台に内蔵されＩＣタグに対してデータの書込み・読出しを行うリーダ・ライタ本体とを有することを特徴とする実験動物用ＩＣタグの書込み・読出し装置。
【請求項６】
実験動物を用いる研究・利用者側で前記個体情報が書き込まれた実験動物の前記個体情報を無線手段を用いたリーダ・ライタにより読み出すことを特徴とする実験動物の情報管理システム。
【請求項７】
実験動物に関する個体情報は、前記実験動物の管理番号、種別、性別、週齢、体重、血液型、病歴、遺伝子配列情報、飼育場所、投与飼料およびその投与量、動物外観および患部等の体部画像、情報入力日時から必要に応じて選択されることを特徴とする請求項６に記載の実験動物の情報管理システム。
【請求項８】
実験動物を用いる前記研究・利用者側で研究・利用の際に得られた前記実験動物に関する研究情報を前記ＩＣタグにリーダ・ライタにより書き込むことを特徴とする請求項６または７に記載の実験動物の情報管理システム。
【請求項９】
実験動物の前記飼育業者側および前記研究・利用者側で前記ＩＣタグに書き込まれた情報をコンピュータ組織の表示画面に表示することを特徴とする請求項６乃至８のいずれかに記載の実験動物の情報管理システム。
【発明の詳細な説明】
【技術分野】
【０００１】
本発明は、実験動物用ＩＣタグ、実験動物用ＩＣタグの保持構造、実験動物用ＩＣタグの書込み・読出し装置および実験動物の情報管理システムに関し、特に、マウス等の実験動物を飼育業者から研究・利用者へ提供するシステムにおいて、前記実験動物に関する各種の情報を確認、追跡、管理するのに有用な実験動物の情報管理システムに関する。
【背景技術】
【０００２】
医療や生理学などの分野で、人間の代わりに例えばマウス等の実験動物を使って各種の研究や調査など動物の生体実験が行われている。この種の実験動物は飼育業者で育成されたものを大学や研究所、病院等の実験施設に供与され、ここで実験動物に例えばがん細胞が植え付けられる等、実験動物を素材とした各種の実験、研究が行われている。実験動物は種別や年齢、週齢、遺伝特徴などのほかにも飼育過程で供与する飼料やその量、飼育環境によっても、後の研究結果に影響を与えるため、これらの情報を正確に研究者、利用者側に伝えるなど、確実な動物管理システムが求められている。
【０００３】
従来、このような実験動物の管理システムや情報トレーサビリティには、バーコードによるＩＤタグを飼育業者側で実験動物の耳たぶ等に取り付けて個々の実験動物の識別や出生情報の管理を行っている。また、主として食用に供する畜産動物の飼育状況に関する情報のトレーサビリティを容易、迅速に行えるように生産者組合と畜産改良センターと実際の生産者の飼育舎とをネットワークを介してコンピュータで接続し、畜産動物に取り付けた動物識別用の特定タグによって管理する動物管理システムが開示されている（特許文献１）。さらに、マウス等の実験動物を特定し、その体重測定の値をスピーディに取得し、得られた体重測定値をパソコンのデータベースに登録する小型実験動物用体重測定および記録装置も開示されている（特許文献２）。この装置はマウスを載せる底の深い受皿と、前記受皿の下側に配置された電子天秤と、受皿上のマウスに埋め込んだＩＣタグおよび識別符号を読み取るリーダ・ライタと、前記受皿に対して離間状態に配置した通信用アンテナコイルとを有し、前記電子天秤が測定したマウスの体重の値をマウスの識別符号に関連付けてパソコンに保存、表示する構成としている。
【先行技術文献】
【特許文献】
【０００４】
【特許文献１】特開２００５−１６０３９１号公報
【特許文献２】特開２０１０−２６６２８９号公報
【発明の概要】
【発明が解決しようとする課題】
【０００５】
医療分野や生体、生理学研究の分野でマウス等の小動物を用いて実験、研究する研究者にとっては、病歴等がなく品質のよい実験動物を望んでおり、また取得した実験動物の飼育状況や各種の履歴、例えば親の情報とか遺伝特徴等を正確に知りたいという要望があり、これに対応して実験動物の供給者、飼育業者側でも最良の動物を飼育し、また、実際の飼育情報だけでなく、個々の実験動物について感染症の有無や遺伝データ等を研究者、利用者側に正確に伝えることが求められる。
【０００６】
さらに、飼育業者側では提供する実験動物とその動物に関する飼育データや遺伝子配列情報等に代表される個体情報が入れ違ったりしないように管理することが必要であり、研究者側でも処置を施した実験動物と得られた各種の研究データが混同するのを避けなければならない。また、飼育業者の提供する実験動物と研究者の要求する性状の実験動物との取り違いが生じないように充分な管理が必要となる。
【０００７】
上述のように実験動物の供給側と受取り側との間で実験動物の取り違いミスが生じないように、現実には、実験動物を飼育及び搬送するケージに管理番号を印刷したタグを取り付けて管理すること、あるいは実験動物の耳に孔を開ける孔の個数や位置の組み合わせによって個体を特定することが行われており、実験動物の種別、週齢などの個体情報、食事管理状況などの飼育情報については飼育者や研究者がノートに記録するという方式が採られている。このような手法では、とりわけ多数の実験動物を扱う際にその管理や個体の識別が非常に煩雑であるという根本的な問題があった。また、先行技術としては管理番号やバーコードを印刷したＩＤタグを実験動物に取り付けて管理することが行われているが、このような方法では実験動物の種別や出生情報など僅かな項目を特定し得るだけで、実験動物の飼育情報、さらには病歴、実験歴、遺伝子配列情報に至るまで多くの情報を把握することはできない。また、飼育途中や出荷搬送中にバーコードやＩＤタグが実験動物から外れてしまうおそれもあり、動物の情報管理としては充分とはいえない。
【０００８】
特許文献１に記載の動物管理システムは、豚、鶏、牛、馬など主として食肉用の家畜動物を対象とするものであって、管理する情報も飼育状況に関する情報であり、病理学や生理学、再生医療など医学研究用の実験動物ではない。管理する情報も畜産に関係するものが主体であって、出生前の過去何代にもわたる親の遺伝子配列情報や病歴は含まれない。また病原菌を投与してそれに対する反応等の追跡情報も管理の対象となっていない。
【０００９】
特許文献２に記載の装置は、小型実験動物の体重測定に関するものであり、用いるＩＣタグとの通信用のアンテナコイルもＩＣタグとは別体に配置され、アンテナ内蔵のＩＣタグではない。文献２のＩＣタグは個々の対象動物とその測定体重とを対応づけるための識別用として設けられている。
【００１０】
本発明は、従来の単にバーコードやＩＤ番号を付したＩＤタグによる個体識別管理ではなく、研究や実験に必要な多くの詳細情報をその個体動物と分離しない形で追跡可能とし、さらに研究過程で施した各種の処置に関する情報も個体動物と分離せずに追記することを可能とした実験動物用ＩＣタグ、実験動物用ＩＣタグの保持構造、実験動物用ＩＣタグの書込み・読出し装置および実験動物の情報管理システムを提供することを目的とする。
【課題を解決するための手段】
【００１１】
本発明に係る実験動物用ＩＣタグは、不揮発性メモリおよびアンテナを内蔵し無線手段で情報の書込み・読出しがなされるタグ本体部を生体無影響素材で被覆し、かつ、実験動物の体内に埋め込まれるＩＣタグを有することを特徴とする。
【００１２】
本発明の一つの形態によれば、前記タグ本体部は角部を湾曲状に面取りした矩形体または円盤形に形成されることを特徴とする請求項１に記載の実験動物用ＩＣタグ
【００１３】
また本発明の他の形態によれば、前記タグ本体部を被覆する生体適合材は液薬塗布および乾燥処理／または液薬塗布および硬化処理により被覆されるガラス材、樹脂材あるいは金属材であることを特徴とする。
【００１４】
また本発明の他の形態によれば、不揮発性メモリおよびアンテナを搭載し無線手段で情報の書込み・読出しがなされるタグ本体部を生体適合材で被覆し、かつ、保持具により保持し、該保持具を介して実験動物の身体に取り付けられることを特徴とする。
【００１５】
また、本発明に係る実験動物用ＩＣタグの保持構造は、不揮発性メモリおよびアンテナを搭載し無線手段で情報の書込み・読出しがなされるタグ本体部を生体適合材で被覆したＩＣタグと、前記ＩＣタグを保持し、かつ実験動物の身体に装着される保持板とを有することを特徴とする。本発明の保持構造の一つの形態によれば、保持具は一端で２又状に連結された２枚の板材からなり、一方の板材の他端に短軸状突起を備え、他方の板材の他端に前記突起が挿通可能な孔部を備え、さらに前記他方の板材の裏面で前記突起を係止する締着部材を有する。他の形態によれば、前記締着部材はナットで構成され、前記短軸状突起の先端には前記ナットと螺合するねじ部が形成される。さらに他の形態によれば、前記締着部材は一対のばね材で構成されたクリップであり、前記短軸状突起は前記クリップで挟み付けられる凹溝が形成されている。
【００１６】
また本発明の実験動物用ＩＣタグの書込み・読出し装置は、ＩＣタグを実装した実験動物を拘束状態に載置する載置台と、前記載置台に内蔵されＩＣタグに対してデータの書込み・読出しを行うリーダ・ライタ本体とを有することを特徴とする。
【００１７】
また本発明に係る実験動物の情報管理システムは、実験動物に実装されたＩＣタグに実験動物の飼育業者側で実験動物に関する個体情報を無線手段を用いたリーダ・ライタにより書き込み、実験動物を用いる研究・利用者側で前記個体情報が書き込まれた実験動物の前記個体情報を無線手段を用いたリーダ・ライタにより読み出し、実験動物の追跡、調査、実験等の研究資料とすることを特徴とする。
【００１８】
本発明の１つの形態によれば、実験動物に実装されたＩＣタグに実験動物の飼育業者側で実験動物に関する個体情報を無線手段を用いたリーダ・ライタにより書き込み、実験動物を用いる研究・利用者側で前記個体情報が書き込まれた実験動物の前記個体情報を無線手段を用いたリーダ・ライタにより読み出し、実験動物の追跡、調査、実験等の研究資料とする実験動物の情報管理システムにおいて、実験動物に関する前記個体情報は、前記実験動物の管理番号、種別、性別、週齢、体重、血液型、病歴、遺伝子配列情報、飼育場所、投与飼料およびその投与量、動物外観および患部等の体部画像、情報入力日時から必要に応じて選択される。
【００１９】
本発明の他の形態によれば、実験動物に実装されたＩＣタグに実験動物の飼育業者側で実験動物に関する個体情報を無線手段を用いたリーダ・ライタにより書き込み、実験動物を用いる研究・利用者側で前記個体情報が書き込まれた実験動物の前記個体情報を無線手段を用いたリーダ・ライタにより読み出し、実験動物の追跡、調査、実験等の研究資料とする実験動物の情報管理システムにおいて、実験動物を用いる前記研究・利用者側で研究・利用の際に得られた前記実験動物に関する情報を前記ＩＣタグに追記入力することを特徴とする。
【００２０】
本発明のさらに他の形態によれば、実験動物に実装されたＩＣタグに実験動物の飼育業者側で実験動物に関する個体情報を無線手段を用いたリーダ・ライタにより書き込み、実験動物を用いる研究・利用者側で前記個体情報が書き込まれた実験動物の前記個体情報を無線手段を用いたリーダ・ライタにより読み出し、実験動物の追跡、調査、実験等の研究資料とする実験動物の情報管理システムにおいて、実験動物の前記飼育業者側および前記研究・利用者側で前記ＩＣタグに書き込まれた情報をコンピュータ組織の表示画面に表示することを特徴とする。
【発明の効果】
【００２１】
本発明によれば、マウス等の実験動物がもつ固有の情報を当該実験動物自体に保持させることで、個々の実験動物の情報を簡易、迅速に、かつ取り違え等のミスを起こさずに、確認でき、研究分野でより正確な結果を出せるとともに、煩雑なリソース管理の軽減を実現できる。
【００２２】
さらに本発明によれば、実験動物の提供者側（飼育業者）と受取り側（研究機関・医療機関）との間で、対象となる実験動物の取り違いが生じる危険がなく、また、単に飼育情報だけでなく外観で分からない特殊な情報、例えば遺伝子配列情報、生育履歴、処置履歴、生前の親情報など多くの情報を実験動物に一体に保持させることができ、これによって正確性と連続性をもった有用な研究成果が期待できる。
【図面の簡単な説明】
【００２３】
【図１】本発明の実施例に係る実験動物用ＩＣタグとその製造工程を示した模式図である。
【図２】本発明の他の実施例に係る実験動物用ＩＣタグを実験用マウスに埋め込んだ状態を示す図である。
【図３】本発明の他の実施例に係る実験動物用ＩＣタグを実験用マウスに埋め込んだ状態を示す図である。
【図４】本発明の他の実施例に係る実験動物用ＩＣタグの保持具を実験用マウスに取り付けた状態を示す図である。
【図５】本発明の実施例に係る実験動物用ＩＣタグの保持具の概略的な斜視図である。
【図６】本発明に係る実験動物の情報管理システムの全体系統を示す図である。
【図７】実験動物の提供者側における情報入力工程を示した図である。
【図８】実験動物の受取り側における情報読出し工程を示した図である。
【図９】実験動物の提供側におけるパソコン上のマウス出荷登録画像の一例を示した図である。
【図１０】実験動物の提供側におけるパソコン上のマウス出荷一覧画面の一例を示した図である。
【図１１】実験動物の受取り側におけるパソコン上のマウス確認・記録画面の一例を示した図である。
【図１２】実験動物の受取り側におけるパソコン上のマウス一覧画面の一例を示した図である。
【発明を実施するための形態】
【００２４】
次に、本発明を、図面を参照しつつ各種の実施例について説明する。
図１を参照すれば、本発明の実施例におけるＩＣタグ本体部はＲＦＩＤタグなどと呼ばれ、フェライト等の素材からなる基板に不揮発性メモリとアンテナが搭載されてなり、このチップが薄形かつ小型のＩＣタグモジュールに形成されている。なおＩＣタグ本体部は電池を内蔵せずに本体内部のアンテナを介して受信した電波に共振して起動する電源機能を有している。（図１（ａ））。
【００２５】
本発明の実験動物用ＩＣタグ１０（以下、単にＩＣタグ１０という。）は、ＩＣタグ本体部１が実験動物の体内に埋め込む際になるべく動物の体組織を傷つけないよう、ＩＣタグ本体部１の稜部、具体的にはＩＣタグ本体部１が矩形状の場合は図１（ｂ）のように四隅部１ａの角が研磨により丸みを成すように削られる。円盤状のものでも、円形の稜部が角張らないように研磨加工するのが好ましい。次に、ＩＣタグ本体部１の全体を生体適合材で被覆する。具体的には、生体適合材とは実験動物の体内で影響を与えない素材である。その素材と手法をいくつか例示すれば、生体適合ガラスなどとも呼ばれる紫外線で硬化する樹脂材からなる液薬２を塗布して紫外線照射３を施し（同図（ｄ））、これによって樹脂素材で被覆されたＩＣタグ１０が得られる（同図（ｅ））。生体適合材の素材の例としては、生体適合ガラスなどの複合材のほか、レジン、シリコン、チタン、ポリウレタン、医療用ステンレス（316Lステンレス）、タンタル、コバルト合金、ニチノール（ニッケル・チタン合金）、ガラスなど様々な材料があげられる。また、その被覆方法は、紫外線硬化に限られず液薬を乾燥や化学反応により硬化させるものであってもよく、ＩＣタグ本体部１が実験動物の生体に影響を与えないかたちで被覆されていればよい。
【００２６】
実施例の実験動物用ＩＣタグ１０は、実験動物１１のできるだけ出血の少ない、かつ動物にとって負担の少ない箇所に埋め込まれる。たとえば、マウスなどの小型哺乳類の場合には、図２に示すように臀部あるいは大腿部の皮下や、図３に示すように後首の皮下などにＩＣタグ１０を埋め込むことが適切である。個体数が少ない場合には実験動物１１の皮膚を切開しＩＣタグ１０を埋設した後、切開部を縫合する実装方法が採られるが、ＩＣタグを打ち込むなど種々の手法でＩＣタグ１０の実装がなされる。
【００２７】
図４に示す実施例は、実験動物が極めて小さい場合などに用いることができる保持具を介してＩＣタグ１０を実験動物の体内に埋め込まずに動物の所定箇所に取り付けるように構成した例である。生体適合性のある素材または動物の皮膚に触れても炎症等を起こさない素材の２枚の保持板５が一端で２又状に連結され、一方の保持板５ａには、ＩＣタグ１０が埋め込まれた樹脂材６が装着されている。この一方の保持板５ａの先端部裏面には短軸状の突起７が固着されている。他方の保持板５ｂの先端部には、前記一方の保持板５ａの突起７が挿通される孔８が形成されている。２枚の保持板５は一端の連結部５ｃを基端として先方が２又状に開いており、かつ全体として或る程度の弾性を有するため、保持板５の先端側を押し付けることで一方の保持板５ａの突起７が他方の保持板５ｂの孔８に挿通され、かつこの状態で他方の保持板５ｂの裏面に対して突起７を適当な係止部材で拘束することにより、突起７が孔８に挿通された状態に維持される。
【００２８】
保持板裏面に対する突起７の係止手段としては、例えば突起７の先端部にねじ部を形成し、突起７を孔８に挿入した後、他方の保持板５ｂの裏面側からナットを螺着する構造、あるいは突起７の先端部の両側部に凹溝を形成し、突起７を孔８に挿通した後、適当な弾性クリップで突起先端部の凹溝を挟み付ける構造が採用可能である。
【００２９】
このようなＩＣタグの保持構造物を実験動物、例えば実験用マウスに取り付けるには、まず、マウスの耳たぶに適当なパンチ等を用いて孔を穿け、保持板先端の突起７をマウスの耳たぶの孔８に通すとともに、他方の保持板先端の孔８に突起７を挿通した後、突起７を他方の保持板５ｂの裏面に対して係止することにより、ＩＣタグ１０を有する保持板５を簡単にマウスに装着することができる。
【００３０】
ＩＣタグを実験動物１１に装着するには上述の実施例の他に、図５に示すようにＩＣタグ１０を埋め込んだ板状の外殻体９を直接実験動物１１の耳たぶに取り付けるようにしてもよい。この場合、小形の板状外殻体９の隅部に形成した孔との耳たぶに穿けた孔にリング状の止め輪１２を通してＩＣタグ１０を有する外殻体９を装着する。止め輪１２は生体適合性の素材あるいは皮膚に触れても炎症等を起こさないような素材が用いられる。なお、図５では明瞭化のため実験動物のマウスに対してＩＣタグを大きく描いてあるが、実際にはこの種の目的のＩＣタグは縦横約５ｍｍ程度のものである。
【００３１】
次に、本実施例に用いられる書込み・読出し装置（リーダ・ライタ）（不図示）について簡単に説明する。書込み・読出し装置はデータの読み出しおよび書き込みを行う補助記憶装置であり、ＩＣタグ本体部１のメモリに対してデータの読み出しと書き込みを行う。本実施例においては実験動物１１を載置できるようリーダ・ライタ本体を、実験動物載置台内に内蔵したタイプを用いることが望ましく、載置台は実験動物１１の種類に応じて、平板上の載置台、すり鉢状の載置台、あるいは載置台に柵を設置したタイプ、ケージを設置したタイプ、あるいは載置台上に水槽を構成したタイプなどが挙げられる。
【００３２】
次に、図６以下の図を参照して本発明に係る実験動物の情報管理システムを説明する。以下、実験動物１１としてはマウスを例に説明する。まずマウスの飼育業者は実験動物用ＩＣタグ１０を購入し、飼育している実験提供用の実験動物１１にＩＣタグ１０を取り付ける（ステップＴ１）。そして、このＩＣタグ１０を実験動物用ＩＣタグの書込み・読出し装置のマウス囲み台上に載置し、囲み台の床板、あるいは側板に実装されている書込み・読出し装置によってマウスに各種の情報を書込み、登録する（ステップＴ２）。この情報書込み・登録が終了した後、登録画面上で要求された特性をもつ欠陥のないマウスを選別し、実験用マウスの研究・利用者へ出荷する（ステップＴ３）。これと同時に、外部のマウス流通データ保管機構１３のデータベースに送信、登録する。なお、この保管機構１３のデータベースは特定者以外の者によって書き替えや変更、削除ができないように電子署名等の安全対策がとられている。図６で符号Ａは飼育業者等のマウス供給側を示し、符号Ｂは研究者等のマウス受取り側である。
【００３３】
実験用マウスの研究・利用者側では、受け取ったマウスを再び実験動物用ＩＣタグの書込み・読出し装置のマウス囲み台に載置し、リーダ・ライタによってマウス情報を読み出し、要求どおりのマウスであることを確認する（ステップＴ４）。要求を満たすマウスについて各種の研究、実験を実施し、そのときの実験データを追記情報として同じマウスのＩＣタグに書き込む（ステップＴ５）。
【００３４】
以上は本発明に係る実験動物の情報管理システムの概略であるが、図７，図８を参照して飼育者側および研究・利用者側での具体的な操作フローを説明する。まず、図７の飼育者側では、所有するコンピュータ（パソコン）のアプリケーションを起動し（ステップＳ１）、書込み・読出し装置と接続する（ステップＳ２）。次に、飼育者のパスワードを登録するとともに（ステップＳ３）、提供用のマウスを情報書込み・読出し装置にセットし（ステップＳ４）、初回状況あるいは追加情報を書き込み（ステップＳ５）、パソコン上で入力情報の編集作業を行う（ステップＳ６）。編集結果はマスタデータベース１５に登録される。このマスタデータベース１５ではマウスの種類、病歴などＩＣタグに書き込む情報を登録し、情報の入力補助機構として機能するものであり、バーコードでも読み出せるようになっている。次に、リーダ・ライタでタグ情報の書き込みを行うとともに（ステップＳ７）、登録履歴データベース１６にも登録を行って一連の作業を終了する。登録履歴データベース１６では、マウス１匹ごとにタグＩＤ（または管理シリアルＮｏ．）と各種書込み情報を第３者保証認証機関で管理するようになされている。
【００３５】
次に、図８のマウスの提供を受けた研究・利用者側では、同様にパソコンのアプリケーションを起動し（ステップＵ１）、情報書込み・読出し装置と接続する（ステップＵ２）。また、研究・利用者の有するパスワードを登録するとともに（ステップＵ３）、受け取ったマウスを情報書込み・読出し装置にセットして情報の読み出しを行う（ステップＵ４）。初回の読出し情報はデータベースに保管するとともに（ステップＵ５）、２回目以降は情報編集作業に入る（ステップＵ６）。初回の読取り情報は登録履歴データベース１７に登録され、２回目以降の編集情報は研究状況や研究結果に応じて追記書き込みを行う（ステップＵ７）。また、この２回目以降の編集情報はマスタデータベース１８に登録され、ステップ７における追記情報は登録履歴データベース１７に登録される。
【００３６】
研究・利用者側のマスタデータベース１８においても、情報の入力補助機構としてマウスの種類、病歴などタグに書き込む情報が登録される。なお、この情報はバーコードでも読み出し可能となっている。研究・利用者側登録履歴データベース１７においても同様にタグＩＤまたは管理シリアルＮｏ．と各種書込み情報を第３者保証認証機関で管理するようにされている。ステップＵ５でなされた初回読取り情報は確認表示した後（ステップＵ８）、一連の作業を終了する。
【００３７】
上述のようにして情報を入力した実験動物の供給側におけるマウス出荷登録画面およびマウス出荷一覧画面の一例を図９，図１０に示す。出荷登録画面では各マウスについてタグＩＤが表示されており、供給者はそのマウスの管理番号、種別性別、週齢、体重、血液型、病歴、遺伝特徴（たとえば遺伝子配列情報のうち個体を特定できる一部の情報）を入力する。入力方法はコンボボックス、上下ボタン選択、バーコード入力が採用可能であり、入力後は次項目へ進む。マウス出荷一覧画面ではマウス出荷登録画面で入力した各マウスに対して登録年月日、種別、性別、週齢、体重、血液型、病歴、遺伝特徴(たとえば遺伝子配列情報のうち個体を特定できる一部の情報)などが一覧形式で表示される。
【００３８】
マウスの受取り側のマウス確認・記録画面では、図１１のように供給側のマウス出荷登録画面に対応して、初回読取り・登録完了時点でタグＩＤ、管理番号、種別、性別、週齢、体重、血液型、病歴、遺伝特徴(たとえば遺伝子配列情報のうち個体を特定できる一部の情報)の各内容が表示されており、受取側では実験名を記入するとともに、研究所見に応じて追記情報を入力できるようになっている。受取り側の受取りマウス一覧画面では、図１２のように各マウスについて登録年月日、実験名、種別、性別、週齢、体重、血液型、病歴、遺伝特徴(たとえば遺伝子配列情報のうち個体を特定できる一部の情報)が一覧形式で表示される。
【００３９】
本発明の実験動物の情報管理システムにおいては、例えば実験動物１１の遺伝子配列情報そのものの真偽は、確認時に採取した組織から解析した遺伝子配列情報と、タグ内部に記載された遺伝子配列情報の差異を確認することで可能となる。本発明の情報管理システムにより、実験動物を利用する研究者、利用者にとって取り違いが起きるのを防止でき、確実な実験、研究の成果とするための信頼性の向上を図ることができる。すなわち、書込み・読出し装置にマウスを載置してＩＣタグ１０のデータを読み出すたびに、メモリに蓄積された情報を読み出すことができ、実験動物１１自体の取り違い、実験動物１１と情報の取り違いを起こすことがなく正確な情報を実験結果とすることができる。
【００４０】
なお、上記実施例の実験動物１１は、マウスを例に説明したが実験動物として用いられる哺乳動物としてはマウスのほか、ラット、豚、犬、ウサギ、モルモット、マーモット、チンパンジーなどが挙げられ、当然のことながらこれに限られるものではない。また、哺乳動物のほか、実験動物１１としては鳥類、魚類も対象となることは言うまでもない。そして、無線ＩＣタグ１０は、実験動物の体質や体型に応じて、その動物にできる限り影響が少なくかつデータの書き込み及び読み出しがしやすい部位に埋め込み、取り付けが行われる。
【００４１】
また、実験動物１１に施される研究の内容、すなわちマウス受取り側で入力される書き込まれる情報との一例としては、マウスの遺伝子操作実験、マウスへの感染実験、食事などの環境因子の追跡確認実験などが挙げられその実験内容により書き込まれる情報が異なる。また、マウスを子、孫と数代にわたって交配させる実験においては、マウス提供側で親子関係を示す情報が書き込まれる。このように、ＩＣタグ１０に記録される情報はさまざまである。
【符号の説明】
【００４２】
１  ＩＣタグ本体部
２  液薬
３  紫外線照射
５  保持板
７  突起
８  孔
９  外殻体
１０  ＩＣタグ
１１  実験動物
１２  止め輪
１３  マウス流通データ保持機構
１５  マスタデータベース
１６  登録履歴データベース
１７  登録履歴データベース
１８  マスタデータベース
Ａ  マウス提供側
Ｂ  マウス受取り側
【図１】
2016131493.tif 000003
【図２】
2016131493.tif 000004
【図３】
2016131493.tif 000005
【図４】
2016131493.tif 000006
【図５】
2016131493.tif 000007
【図６】
2016131493.tif 000008
【図７】
2016131493.tif 000009
【図８】
2016131493.tif 000010
【図９】
2016131493.tif 000011
【図１０】
2016131493.tif 000012
【図１１】
2016131493.tif 000013
【図１２】
2016131493.tif 000014